(57)【要約】  本発明は、柄に取り付け可能な多機能台座と、スペーサなしの複数の刃と、多機能キャップとを備え、刃間のスペーサの使用を不要にする、かみそりカートリッジに関する。突出部／選択的台座を有する多機能台座と、各刃を台座に保持する機能を有する多機能キャップとにより、スペーサを使用せずに複数の刃を相互に平行に配置し、シェービング中に所定位置に刃をしっかりと保持し、シェービング後のカートリッジのすすぎ中、シェービングくず清掃用の洗浄路を提供することができる。
2020518309.tif 000002
【特許請求の範囲】
【請求項１】
多機能台座（１１４）と、複数の刃と、多機能キャップ（１１０）と、を備え、前記刃間でのスペーサの使用を不要にし、
前記多機能台座（１１４）が、長手方向の矩形開口部（３１、３３、３４、及び３６）と短手方向の矩形開口部３２、３５とにより輪郭付けられた略平坦な面（３０）を有する略矩形プラットフォーム（３００）を含み、前記平坦な面（３０）が第１の刃（１１１）用の第１の台座であり、前記第２の刃（１１２）用の選択的台座が第１のセットの突出部の形態をとり、前記第３の刃（１１３）用の選択的台座が第２のセットの突出部の形態をとり、
前記多機能キャップ（１１０）が、前記多機能台座に設けられた前記第１及び第２のセットの突出部に対応する突出部であるスタッキングピンを含み、
前記刃が、前記突出部の各台座と一致し、前記台座を受け入れる開口部を提供する１セットの孔を有し、
前記多機能台座（１１４）と多機能キャップ（１１０）とを組み合わせることにより、スペーサの必要性が排除される、かみそりカートリッジ。
【請求項２】
前記矩形プラットフォームの前記略平坦な面（３０）が、長手方向の矩形開口部（３１、３３、３４、及び３６）と短手方向の矩形開口部（３２及び３５）とにより輪郭付けられて、くずの洗浄路を提供し、
前記平坦な面（３０）が、前記第１の刃（１１１）用の前記第１の台座である、請求項１に記載のかみそりカートリッジ。
【請求項３】
前記第２の刃（１１２）用の前記第１のセットの選択的台座が、第１の突出部（３５０）、第２の突出部（３５１）、第３の突出部（３５２）、第４の突出部（３５３）、第５の突出部（３５４）、及び第６の突出部（３５５）の第１のセットを含み、
前記第１の突出部（３５０）が前記多機能キャップの前記スタッキングピンを受け入れるために使用される穴（３６０）の周囲に配設され、前記突出部（３５０）が、前記穴（３６０）の周囲に配設されて、前記穴の外形に応じて一つの側で立ち上がる矩形ブロックの形態をとり、
前記第２の突出部（３５１）が第２の穴（３６１）の周囲に配設され、前記第２の突出部（３５１）の前記面（３０）からの垂直距離が前記第１の突出部（３５０）の前記面（３０）からの垂直距離と等しく、
前記第２の突出部（３５１）が、前記穴（３６１）の周囲に配設され、前記穴の外形に応じて立ち上がる矩形ブロックの形態をとり、
前記第３の突出部（３５２）が第３の穴（３６２）の周囲に配設され、前記第３の突出部（３５２）の前記面（３０）からの垂直距離が前記第１の突出部（３５０）及び第２の突出部（３５１）の前記面（３０）からの垂直距離と等しく、
前記第２の突出部（３５１）と前記第３の突出部（３５２）に関して前記第２の刃を載置するために利用可能な水平台座表面積が等しく、
前記第３の突出部（３５２）が第３の穴（３６２）の周囲に配設され、
前記第３の突出部（３５２）の前記面（３０）からの垂直距離が前記第１の前記突出部（３５０）及び第２の突出部（３５１）の前記面（３０）からの垂直距離と等しく、
前記第２の突出部（３５１）と前記第３の突出部（３５２）に関して前記第２の刃を載置するために利用可能な水平台座表面積が好ましくは等しく、
前記第４の突出部（３５３）が第４の穴（３６３）の周囲に配設され、
前記第４の突出部（３５３）の前記面（１１２）からの垂直距離が前記第１の突出部（３５０）、第２の突出部（３５１）、及び前記第３の突出部（３５２）の前記面（１１２）からの垂直距離と等しく、
前記第１の突出部（３５０）と前記第４の突出部（３５３）に関して前記第２の刃を載置するために利用可能な水平台座表面積が好ましくは等しく、
前記第５の突出部（３５４）及び第６の突出部（３５５）が前記プラットフォーム（３００）の両側に配置され、前記突出部（３５４及び３５５）の水平台座表面積が好ましくは等しい、請求項１に記載のかみそりカートリッジ。
【請求項４】
前記第３の刃（１１３）用の前記第２のセットの選択的台座が、第１の突出部（４５０）、第２の突出部（４５１）、第３の突出部（４５２）、第４の突出部（４５３）、第５の突出部（４５４）、及び第６の突出部（４５５）を備え、
前記第１の台座（３０）から前記第３の刃１１３用の第３の台座までの垂直距離が、前記第２の刃（１１２）用の第２の台座の高さよりも大きく、
前記刃（１１３）の面が該突出部の面に載置されて、前記刃（１１３）に堅固な支持を提供し、
前記第２のセットの台座の第１の突出部（４５０）が、前記多機能キャップの前記スタッキングピン（１１５）を受け入れるために使用される穴（３６０）の周囲に配設され、前記第１の突出部（４５０）が、前記穴（３６０）の外形に応じて一つの側で立ち上がる矩形ブロックの形態をとり、
前記第２の突出部（４５１）が第２の穴（３６１）の周囲に配設され、前記第２の突出部（４５１）の前記面（３０）からの垂直距離が前記第１の突出部（４５０）の前記面（３０）からの垂直距離に等しく、前記第２の突出部（４５１）が、前記穴（３６１）の周囲に配設され、前記穴の外形に応じて一つの側で立ち上がる矩形ブロックの形態をとり、
前記第３の突出部（４５２）が第３の穴（３６２）の周囲に配設され、前記第３の突出部（４５２）の前記面（３０）からの垂直距離が前記第１の前記突出部（４５０）及び第２の突出部（４５１）の前記面（３０）からの垂直距離に等しく、前記第２の突出部（４５１）と前記第３の突出部（４５２）に関して前記第３の刃を載置するために利用可能な水平台座表面積が等しく、
前記第３の突出部（４５２）が前記第３の穴（３６２）の周囲に配設され、
前記第３の突出部（４５２）の前記面（３０）からの垂直距離が前記第１の突出部（４５０）及び第２の突出部（４５１）の前記面（３０）からの垂直距離に等しく、
前記第２の突出部（４５１）と前記第３の突出部（４５２）との、前記第３の刃を載置するために利用可能な水平台座表面積が等しく、前記突出部（４５４及び４５５）がプラットフォーム（３００）の両側に配置され、
前記第４の突出部（４５３）が第４の穴／開口部（３６３）の周囲に配設され、前記第４の突出部（４５３）の前記面（３０）からの垂直距離が前記第１の前記突出部（４５０）、前記第２の突出部（４５１）、及び前記第３の突出部（４５２）の前記面（３０）からの垂直距離に等しく、
前記第１の突出部（４５０）及び前記第４の突出部（４５３）に関して前記第３の刃を載置するために利用可能な水平台座表面積が等しく、前記突出部（４５４及び４５５）の水平台座表面積が好ましくは等しい、請求項１に記載のかみそりカートリッジ。
【請求項５】
第１の突出部３５０、第２の突出部３５１、第３の突出部３５２、第４の突出部３５３、第５の突出部３５４、及び第６の突出部３５５のセットの形態をとる、前記第２の刃１１２用の第２の台座が、前記プラットフォーム３００に取り付けられる、請求項１に記載のかみそりカートリッジ。
【請求項６】
前記第１の刃１１１が、第１の突出部３５０、第２の突出部３５１、第３の突出部３５２、第４の突出部３５３、第５の突出部３５４、及び第６の突出部３５５を含む前記第２のセットの台座と、第１の突出部４５０、第２の突出部４５１、第３の突出部４５２、第４の突出部４５３、第５の突出部４５４、及び第６の突出部４５５を含む第３のセットの台座と、穴３６０、３６１、３６２、及び３６３とに一致し、前記台座を受け入れる開口部を提供する第１のセットの孔１１１ａ、１１１ｂ、１１１ｃ、１１１ｄ、１１１ｋ、及び１１１ｎを含み、
長手方向に設けられ、前記矩形開口部３１、３３、３４、及び３６と一致して、シェービングくずを流させる開口部１１１ｅ、１１１ｆ、１１１ｇ、１１１ｈ、１１１ｉ、及び１１１ｊが更に設けられ、
前記刃の幅方向に設けられ、多機能キャップ位置決め部に前記刃を位置決めする略矩形スロット１１１ｌ、１１１ｍが設けられた、請求項１に記載のかみそりカートリッジ。
【請求項７】
前記第２の刃１１２が、突出部３５０、３５１、３５２、３５３、３５４、及び３５５を含む前記第２のセットの台座と、突出部４５０、４５１、４５２、４５３、４５４、及び４５５を含む第３のセットの台座と、穴３６０、３６１、３６２、３６３とに一致し、前記台座を受け入れる開口部を提供する第１のセットの孔１１２ａ、１１２ｂ、１１２ｃ、１１２ｄ、１１２ｎ、及び１１２ｋを含み、
長手方向に設けられ、前記矩形空洞／開口部３１、３３、３４、及び３６と一致する開口部１１２ｅ、１１２ｆ、１１２ｇ、１１２ｈ、１１２ｉ、及び１１２ｊが更に設けられ、
前記刃の幅方向に設けられ、多機能キャップ位置決め突出部に前記刃を位置決めする略矩形スロット１１２ｌ、１１２ｍが設けられ、
長手方向切断縁部１１２ｐが設けられた、請求項１に記載のかみそりカートリッジ。
【請求項８】
前記第３の刃１１３が、突出部３５０、３５１、３５２、３５３、３５４、及び３５５を含む前記第２のセットの台座と、突出部４５０、４５１、４５２、４５３、４５４、及び４５５を含む第３のセットの台座と、穴３６０、３６１、３６２、３６３とに一致し、前記台座を受け入れる開口部を提供する第１のセットの孔１１３ａ、１１３ｂ、１１３ｃ、及び１１３ｄを含み、
前記刃の幅方向に設けられ、多機能キャップ位置決め突出部に前記刃を位置決めする略矩形スロット１１３ｅ、１１２ｆが設けられ、
長手方向切断縁部１１３ｐが設けられた、請求項１に記載のかみそりカートリッジ。
【請求項９】
前記多機能キャップ１１０が、
第１のピン７０、第２のピン７１、第３のピン７２、及び第４のピン７３を含むセットのスタッキングピンと、
前記スタッキングピンのセットが配設される略平坦な面７４と、
位置決め突出部８３及び８４と、
を含み、
第１の突出部７５、第２の突出部７６、第３の突出部７７、及び第４の突出部７８がそれぞれ前記スタッキングピン７０、７１、７２、及び７３の周囲に設けられて前記刃を支持し、
前記第１の突出部７５及び第４の突出部７８が同じ幾何学的形状を有し、好ましくは０．５〜２ｍｍの、前記面７３から等しい垂直距離を有し、
前記第２の突出部７６及び前記第３の突出部７７が同じ幾何学的形状を有し、前記第１の突出部７５及び第４の７８と等しい垂直距離とを有し、
段部７９、８０、８１、及び８２が前記第２、第３、及び第４の突出部７６、７７、７８、及び７９の一体部分であり、
前記段部７９、８０、８１、及び８２の垂直距離が０．３〜１ｍｍの範囲にあり、
前記段部７９及び８２の幾何学的形状が好ましくは同じであり、
前記段部８０及び８１の幾何学的形状が好ましくは同じであり、
前記第３の刃１１３が面７４に配置され、前記第２の刃１１２が前記段部７９、８０、８１、及び８２に配置され、前記第１の刃１１１が突出部７５、７６、７７、及び７８の面に配置され、
前記第３の刃のスロット１１３ｅ、１１３ｇ、第２の刃のスロット１１２ｌ、１１２ｍ、及び第１の刃のスロット１１１ｌ、１１１ｍが前記位置決め突出部８３及び８４に位置決めされ、更に該突出部が前記台座１１４の空洞２０１及び２０２に位置決めされる、請求項１に記載のかみそりカートリッジ。
【請求項１０】
略平坦な面７４の総表面積と前記段部７９、８０、８１、及び８２によって提供される総表面積との比が１０：１であり、
略平坦な面７４の総表面積と前記突出部７５、７６、７７、及び７８の総表面積との比が１５：１である、請求項１に記載のかみそりカートリッジ。
【請求項１１】
前記第１の突出部４５０と前記第２の突出部４５１との、前記第２の刃を載置するために利用可能な表面積との比が１：２〜１：４の範囲にある、請求項４に記載のかみそりカートリッジ。
【請求項１２】
前記第１の突出部４５０、第２の突出部４５１１、第３の突出部４５２、第４の突出部４５３、第５の突出部４５４、及び第６の突出部４５５のセットの形態をとる、前記第３の刃１１３用の前記第３の台座によって提供される総表面積と前記第１の台座の面３０の表面積との比が０．０８：１〜０．０６：１の範囲にある、請求項４に記載のかみそりカートリッジ。
【請求項１３】
前記第１の突出部３５０、第２の突出部３５１、第３の突出部３５２、第４の突出部３５３、第５の突出部３５４、及び第６の突出部３５５の全てが前記プラットフォーム３００の面に占める総表面積が、前記プラットフォーム３００の面の総表面積の４０％である、請求項３に記載のかみそりカートリッジ。
【請求項１４】
前記突出部３５０と３５１、前記突出部３５１と３５２、及び前記突出部３５２と３５３間の前記プラットフォーム３００の開放表面積が最小６０％である、請求項３に記載のかみそりカートリッジ。
【請求項１５】
第２の刃１１２の固定領域が最小５％であり、第１の刃１１１及び第３の刃１１３の固定領域が最大８５％である、請求項３に記載のかみそりカートリッジ。
【請求項１６】
前記プラットフォーム３００の前記面から突出部３５０、３５１、３５２、３５３、３５１、及び３５５の前記垂直距離が０．３ｍｍ〜１ｍｍの範囲にある、請求項３に記載のかみそりカートリッジ。
【請求項１７】
前記第１の突出部３５０と前記第２の突出部３５１に関して前記第２の刃を載置するために利用可能な表面積との比が１：２〜１：４の範囲にある、請求項３に記載のかみそりカートリッジ。
【請求項１８】
前記第１の突出部３５０、第２の突出部３５１、第３の突出部３５２、第４の突出部３５３、第５の突出部３５４、及び第６の突出部３５５によって提供される総表面積と前記第１の台座面３００の表面積との比が０．０８：１〜０．０６：１の範囲にある、請求項３に記載のかみそりカートリッジ。
【請求項１９】
上記突出部が、半矩形、楕円形、長円形、任意のその他の多角形幾何学的形状である、請求項１に記載のかみそりカートリッジ。
【請求項２０】
前記第３のセットの突出部は、前記第３の刃１１３用であり、前記第１の台座面３０から０．８ｍｍ〜２ｍｍの所定垂直距離を有する、請求項４に記載のかみそりカートリッジ。
【請求項２１】
前記第１の突出部４５０の前記第１の台座３０からの前記垂直距離が、前記第３の刃１１３と第２の刃１１２との間で０．４ｍｍ〜１ｍｍの適切な距離を可能にするように設定される、請求項４に記載のかみそりカートリッジ。
【請求項２２】
シェービング中の前記カートリッジの滑動を向上させるために、前記多機能キャップ１１０が、前記多機能キャップ１１０の上面に取り付けられた流体形状の潤滑ストリップ１１５内にポリスチレン−ポリエチレンオキシド混合物を含み、
前記多機能キャップ部材１１０に、成形潤滑ストリップ１１５が接着されている、請求項１又は９に記載のかみそりカートリッジ。
【請求項２３】
第１の突出部３５０、第２の突出部３５１、第３の突出部３５２、第４の突出部３５３、第５の突出部３５４、及び第６の突出部３５５を含む前記第２の刃１１２用の前記第１のセットの選択的台座が、高さ調節及び浮動構造を可能にする圧縮性材料で作製される、請求項１又は３に記載のかみそりカートリッジ。
【請求項２４】
第１の突出部３５０、第２の突出部３５１、第３の突出部３５２、第４の突出部３５３、第５の突出部３５４、及び第６の突出部３５５を含む、前記第２の刃１１２用の前記第１のセットの選択的台座、前記第２の刃１１２用の第２の台座が、高さ調節機能を有する、請求項１又は３に記載のかみそりカートリッジ。
【請求項２５】
第１の突出部４５０、第２の突出部４５１、第３の突出部４５２、第４の突出部４５３、第５の突出部４５４、及び第６の突出部４５５を含む、前記第３の刃１１３用の前記第２のセットの選択的台座が、高さ調節及び浮動構造を可能にする圧縮性材料で作製される、請求項１又は４に記載のかみそりカートリッジ。
【請求項２６】
第１の突出部４５０、第２の突出部４５１、第３の突出部４５２、第４の突出部４５３、第５の突出部４５４、及び第６の突出部４５５を含む、前記第３の刃１１３用の前記第２のセットの選択的台座が、高さ調節機能を有する、請求項１又は４に記載のかみそりカートリッジ。
【請求項２７】
前記多機能台座１１４が柄と一体化されている、請求項１に記載のかみそりカートリッジ。
【請求項２８】
前記多機能台座１１４が柄に取り付け可能である、請求項１に記載のかみそりカートリッジ。
【請求項２９】
前記刃カートリッジが、前記多機能台座１１４の前記下面に形成された構造５００及び５０１により柄に永続的に又は脱着可能に接続することができる、請求項１に記載のかみそりカートリッジ。
【請求項３０】
３つ以上の刃が配設され、前記多機能台座に設けられた各自の台座を有する、請求項１に記載のかみそりカートリッジ。
【発明の詳細な説明】
【技術分野】
【０００１】
本発明は、シェービングかみそりに関する。特に、本発明は、柄に取り付け可能な多機能台座と、スペーサなしの複数の刃と、多機能キャップと、を備え、刃間のスペーサの使用を不要にする、かみそりカートリッジに関する。
【背景技術】
【０００２】
シェービングカートリッジは、効果的なシェービングのために複数の刃を使用する。複数の刃は、相互に平行であり、相互に堅固に保持する必要がある。これを達成するには、２つの刃間にスペーサが要求される。このため、カートリッジの限られた縦方向スペースに多数の刃を収容する能力が制限される。これらのスペーサは、シェービング中にくずを遮断するために不都合である。このくずは、シェービングフォーム／クリーム及び毛を含む。優れたシェービングカートリッジは、基本的には毛、シェービングフォーム、及びシェービング中に剥離した皮膚から成るくずを除去する良好なすすぎ性を有するべきである。
【０００３】
従来技術のカートリッジは、スペーサを伴い積層された刃を有する。本発明は、スペーサを使用せずに複数の刃を有するカートリッジを提供する。
【０００４】
以下が関連の従来技術である。
【０００５】
米国特許第６４３０８１８号は、刃台座とガード部材とを有するプラットフォーム部材を含み、ガード部材が、刃台座とガード部材との間に長手方向スロットを形成するように刃台座の前方に刃台座と平行に配置されるシェービングカートリッジを開示している。第１の刃は、刃の切断縁部がガード部材の後方に配置されるように、刃台座に配設される。スペーサは第１の刃の上面に配置される。スペーサは上面を含み、複数の突出部材が上面から第２の刃の孔を通って延びるため、第２の刃がスペーサの上面に配設される。第１の刃は孔を有するため、くずが第１の刃と第２の刃との間を下方に流れて、その孔を通り、プラットフォーム部材を通り抜けることができる。第３の刃がスペーサの突出部材の上面に配置されることにより、第２の刃と第３の刃との間に間隙を形成する。刃カートリッジは、キャップ部材を更に含み、このキャップ部材は、下方に延在して、刃台座、刃、スペーサ、及びキャップ部材を共に永続的に固定するのに使用される締付ピンを有する。
【０００６】
米国特許第３７２４０７０号は、スペーサを備え、キャップ部材に接続されたプラットフォーム部材を含み、その間に刃手段が配設された従来のかみそりを開示している。刃手段は、同じ方向に延びる切断縁部を有する複数の刃部材を備えることにより、シェービング動作中、全ての切断縁部が略同時に利用される。
【０００７】
米国特許第５６６１９０７号は、回転接続によって柄に装着されるかみそり刃アセンブリを開示しており、該アセンブリは、先端縁部をそれぞれ有する３つの刃部材を担持するハウジングを含み、ハウジングは、ガード部と、キャップ構造と、柄の外殻支持接続部と枢動可能に係合する刃担持部下のアーチ状支持面と、を有する。
【０００８】
従来技術は、以下の制約を受ける。
・スペーサを使用することで、刃と刃の間に長手方向に障害物が生じて、すすぎ性に悪影響を及ぼす。
・スペーサの構造の複雑さと数は、製造に課題をもたらす。
・これは（米国特許第５６６１９０７号に開示されるような）リベット留めされるカートリッジではない。
【０００９】
スペーサを使用せずに、シェービング中に所定位置で刃を堅固に保持し、シェービング後にカートリッジをすすぐ間にシェービングくずを清掃するための洗浄路を提供する、複数の刃を平行に配設したシェービングカートリッジを提供するというニーズは未だに満たされていない。
【発明の概要】
【００１０】
本発明の主な目的は、スペーサを使用しないシェービングかみそりカートリッジを提供することである。本発明の別の目的は、柄に取り付け可能な多機能台座と、複数の刃と、多機能キャップと、を備え、刃間のスペーサの使用を不要にする、シェービングかみそりカートリッジを提供することである。
【００１１】
本発明の別の目的は、突出部／選択的台座を備えた多機能台座と、台座上に各自の刃を保持する対応機能を備えた多機能キャップとを設けることである。
【００１２】
本発明の更に別の目的は、スペーサを使用せずに刃を略平行に配設できるように、上記多機能台座の突出部と多機能キャップの対応する突出部とを設けることである。
【００１３】
本発明の更に別の目的は、くずを洗い流すために利用可能な面積を実質的に増大させるように、多機能台座の突出部と多機能キャップの対応する突出部とを設けることである。
【００１４】
本発明の更に別の目的は、各刃をしっかりと支持し、くずを洗い流す領域を提供するように、各突出部と、各刃に関して突出部を載置するための表面積とを提供することである。
【００１５】
本発明の更に別の目的は、台座と一体化された上記突出部と、多機能キャップの対応する突出部とを提供することである。
【００１６】
本発明の更に別の目的は、各刃用の取り付け可能な突出部であって、台座に取り付けられる突出部を提供することである。
【００１７】
本発明の更に別の目的は、各刃用の取り付け可能な突出部であって、多機能キャップに取り付けられる突出部を提供することである。
【００１８】
本発明の更に別の目的は、流動的な刃配置を可能にする圧縮作用を有する圧縮性突出部を提供することである。
【００１９】
本発明の更に別の目的は、流動的な刃配置を可能にするばね式突出部を提供することである。
【００２０】
本発明の更に別の目的は、各刃用の高さ調節可能な突出部を提供することである。
【００２１】
本発明の更に別の目的は、台座構造の材料と異なる材料の突出部を提供することである。
【００２２】
本発明の更に別の目的は、柄に取り付け可能な多機能台座を提供することである。
【００２３】
本発明の更に別の目的は、各自の挿入空洞／スロットを備えた刃を提供することである。
【００２４】
本発明の更に別の目的は、少なくとも２つの刃を提供することである。
【００２５】
本発明の更に別の目的は、３つの刃を提供することである。
【００２６】
本発明の更に別の目的は、４つ以上の刃を提供することである。
【００２７】
よって、本発明によると、多機能台座、複数の刃、多機能キャップが備えられ、刃間でのスペーサの使用を不要にし、
多機能台座は、長手方向の矩形開口部と短手方向の矩形開口部により輪郭付けられた略平坦面を有する略矩形プラットフォームを備え、平坦面が第１の刃用の第１の台座であり、第２の刃用の選択的台座が第１のセットの突出部の形態をとり、第３の刃用の選択的台座が第２のセットの突出部の形態をとり、
多機能キャップは、多機能台座に設けられた第１及び第２のセットの突出部に対応する突出部であるスタッキングピンを含み、
刃は、突出部の各台座と一致し、該台座を受け入れる開口部を提供する１セットの孔を有し、
多機能台座と多機能キャップを組み合わせることによりスペーサの必要性が排除される。
【００２８】
本発明の別の態様は、刃を所定距離をおいて略平行に配置してくずを効果的に洗い流せるように、各刃用の突出部を有する多機能台座を提供することである。
【００２９】
本発明の別の態様では、多機能台座は柄と一体化される。
【００３０】
本発明の別の態様では、多機能台座は、シェービング中に外形に応じて旋回できるように柄に取り付けられる。
【００３１】
本発明の別の態様では、多機能台座は、２つ、３つ、又は４つ以上の刃を受容し、略平行に配置するように構成される。
【００３２】
本発明の別の態様は、シェービングの所望の形状に応じて、シェービングを邪魔しないように刃を配置することができる。
【図面の簡単な説明】
【００３３】
本発明の特徴及び利点は、添付図面を参照して、以下の詳細な説明及び好適な実施形態から自明になるであろう。
【図１】スペーサを備えた従来のカートリッジを示す図である（シート１）。
【図２ａ】多機能台座及び多機能キャップを備えたカートリッジを示す図である（シート２）。
【図２ｂ】カートリッジを示す図である（シート２）。
【図３】多機能台座を示す図である（シート３）。
【図３ａ】多機能台座１１４を示す側面図である（シート４）。
【図４】第１の刃を示す図である（シート５）。
【図５】第２の刃を示す図である（シート６）。
【図６】第３の刃を示す図である（シート７）。
【図７】多機能キャップ１１０を示す図である（シート８）。
【図８】刃間のくず流路を示すＡＡ線断面図である（シート９）。
【発明を実施するための形態】
【００３４】
３つの刃を有する従来のカートリッジを図１に示す。カートリッジは、台座７と刃２、３、及び４とを備える。図１に示すような薄片形状のスペーサ５及び６が、上記刃の間に設けられる。刃とスペーサはスタッキングピン８及び台座７に配置され、スタッキングピン８が台座７の穴９に係合される。刃が肌から毛を剃り落とす一方、毛、シェービングクリーム／フォーム、皮膚などを含むくずを効果的なシェービングのために洗い落とす必要がある。スペーサ５及び６は、刃間で相当の面積を占有する固体薄片であり、２つの連続する刃間の通路からくずが流れ出るのに妨害物／障害物となる。キャップは、キャップ上に形成される、又は接着される潤滑ストリップ１０も有する。
【００３５】
本発明のカートリッジを図２ａに示す。かみそりカートリッジは、多機能台座１１４と、複数の刃（符号１１１、１１２、及び１１３によって示される）と、多機能キャップ１１０とから成り、刃間のスペーサを不要にする。多機能キャップ１１０と組み合わせた上記多機能台座１１４の新規かつ発明性のある形状及び構成により、スペーサの必要が省かれる。図２ｂは、くず流路を示すために図８の断面図に使用されるカートリッジの断面線位置を示す。
【００３６】
図３は、多機能台座１１４の詳細を示す。多機能台座１１４は、略矩形プラットフォーム３００を備える。多機能台座１１４は、長手方向の矩形開口部３１、３３、３４、及び３６と、短手方向の矩形開口部３２及び３５とにより輪郭付けられた略平坦面３０を有し、これらの開口部は、くずを洗い流す通路を提供する。上記平坦面３０は、第１の刃１１１用の第１の台座である。
【００３７】
図３に示されるように、第２の刃１１２用の選択的台座は、第１の突出部３５０、第２の突出部３５１、第３の突出部３５２、第４の突出部３５３、第５の突出部３５４、及び第６の突出部３５５の第１のセットの形態をとる。刃１１２の面はこれらの突出部の面に載置され、刃１１２が堅固に支持される。これらの第２のセットの突出部は第２の刃１１２用であり、第１の台座面３０から所定の垂直距離を有する。この構造は、上記第１の刃１１１と第２の刃１１２との間の距離を維持して、従来のスペーサの使用を不要にすることができる。第２の台座のセットの第１の突出部３５０は、多機能キャップのスタッキングピンを受け入れるために使用される穴３６０の周囲に配設される。上記突出部３５０は、図３に示されるように、上記穴３６０の周囲に配設され、上記穴の外形に応じて一つの側に立ち上がる矩形ブロックの形態をとる。
【００３８】
一実施形態では、上記突出部（上記セットの第１の突出部３５０、第２の突出部３５１、第３の突出部３５２、第４の突出部３５３、第５の突出部３５４、及び第６の突出部３５５）の全てがプラットフォーム３００の面に占める総表面積（フットプリント）は、プラットフォーム３００の面の総表面積の約４０％である。
【００３９】
更に別の実施形態では、突出部３５０と３５１、３５１と３５２、３５２と３５３間のプラットフォーム３００の開口／開放表面積は最小６０％である。
【００４０】
更に別の実施形態では、第２の刃１１２の固定領域は最小５％であり、第１の刃１１１及び第３の刃１１３の固定領域は最大８５％である。
【００４１】
別の実施形態では、上記突出部は、半矩形、楕円形、長円形、任意のその他の多角形形状である。
【００４２】
別の実施形態では、突出部３５０、３５１、３５２、３５３、３５１、３５５のプラットフォーム３００の面からの垂直距離は０．３ｍｍ〜１ｍｍの範囲にある。
【００４３】
第２の突出部３５１は、第２の穴３６１の周囲に配置される。第２の突出部３５１の面３０からの高さ方向の垂直距離は、上記第１の突出部３５０の面３０からの高さ方向の垂直距離と等しい。上記第２の突出部３５１は、図３及び図３Ａに示されるように、穴３６１の周囲に配設され、上記穴の外形に応じて一つの側に立ち上がる矩形ブロックの形態をとる。第３の突出部３５２は、第３の穴／開口部３６２の周囲に配置される。第３の突出部３５２の面３０からの高さ／垂直距離は、第１の突出部３５０及び第２の突出部３５１の面３０からの垂直距離と等しい。第２の突出部３５１と第３の突出部３５２に関して第２の刃を載置するために利用可能な水平台座表面積は等しい。第３の突出部３５２は第３の穴３６２の周囲に配設される。第３の突出部３５２の面３０からの垂直距離は、上記第１の突出部３５０及び第２の突出部３５１の面３０からの垂直距離と等しい。第２の突出部３５１と第３の突出部３５２に関して第２の刃を載置するために利用可能な水平台座表面積は好ましくは等しい。
【００４４】
上記第１の突出部３５０と第２の突出部３５１の（第２の刃を載置するために利用可能な）表面積の比は１：２〜１：４の範囲にある。第２の刃１１２用の第２の台座（第１の突出部３５０、第２の突出部３５１、第３の突出部３５２、第４の突出部３５３、第５の突出部３５４、及び第６の突出部３５５のセットの形態）によって提供される総表面積と、第１の台座面３０の表面積との比は０．０８：１〜０．０６：１の範囲にある。第４の突出部３５３は、第４の開口部３６３の周囲に配置される。第４の突出部３５３の面１１２からの垂直距離は、第１の突出部３５０、第２の突出部３５１、及び第３の突出部３５２の面１１２からの垂直距離と等しい。上記第１の突出部３５０と第４の突出部３５３に関して第２の刃を載置するために利用可能な水平台座表面積は、好ましくは等しい。カンチレバー作用を回避するため、第５の突出部３５４及び第６の突出部３５５が、プラットフォーム３００の両側に配置される。突出部３５４と３５５の水平台座表面積は、好ましくは等しい。
【００４５】
第３の刃１１３用の選択的台座は、図３及び図３Ａに示すように、第１の突出部４５０、第２の突出部４５１、第３の突出部４５２、第４の突出部４５３、第５の突出部４５４、及び第６の突出部４５５の第２のセットの形態をとる。第１の台座３０から、第１の突出部４５０、第２の突出部４５１、第３の突出部４５２、第４の突出部４５３、第５の突出部４５４、及び第６の突出部４５５のセットの形態の第３の刃１１３用の第３の台座までの垂直距離は、第１の突出部３５０、第２の突出部３５１、第３の突出部３５２、第４の突出部３５３、第５の突出部３５４、及び第６の突出部３５５の形態の第２の刃１１２用の第２の台座の高さよりも大きい。
【００４６】
刃１１３の面は、これらの突出部の面に載置され、刃１１３が堅固に支持される。これらの第３のセットの突出部は、第３の刃１１３用であり、第１の台座面３０から０．８ｍｍ〜２ｍｍの所定垂直距離を有する。この構造により、第２の刃１１２と第３の刃１１３との間の距離が維持されて、従来のスペーサの使用が不要となる。第２の台座のセットの第１の突出部４５０は穴３６０の周囲に配設され、多機能キャップのスタッキングピン７０を受け入れるために使用される。第１の突出部４５０は、図３に示されるように、上記穴３６０の周囲に配設され、上記穴の外形に応じて一つの側に立ち上がる矩形ブロックの形態をとる。第１の突出部４５０の第１の台座３０からの垂直距離は、第３の刃１１３と第２の刃１１２との間の０．４ｍｍ〜１ｍｍの適切な距離を可能にするように設定される。
【００４７】
第２の突出部４５１は、第２の穴３６１の周囲に配置される。第２の突出部４５１の面３０からの垂直距離は、第１の突出部４５０の面３０からの垂直距離と等しい。第２の突出部４５１は、図３に示されるように、穴３６１の周囲に配設され、上記穴の外形に応じて一つの側に立ち上がる矩形ブロックの形態をとる。
【００４８】
第３の突出部４５２は、第３の穴３６２の周囲に配置される。第３の突出部４５２の面３０からの垂直距離は、第１の突出部４５０及び第２の突出部４５１の面３０からの垂直距離と等しい。第２の突出部４５１と第３の突出部４５２に関して第３の刃を載置するために利用可能な水平台座表面積は等しい。第３の突出部４５２は、第３の穴３６２の周囲に配設される。第３の突出部４５２の面３０からの垂直距離は、第１の突出部４５０及び第２の突出部４５１の面３０からの垂直距離と等しい。第２の突出部４５１と第３の突出部４５２に関して第３の刃を載置するために利用可能な水平台座表面積は、好ましくは等しい。これに加えて、カンチレバー作用を回避するため、突出部４５４及び４５５がプラットフォーム３００の両側に配置される。
【００４９】
第１の突出部４５０と第２の突出部４５１との（第２の刃を載置するために利用可能な）表面積の比は１：２〜１：４の範囲にある。第３の刃１１３用の第３の台座（第１の突出部４５０、第２の突出部４５１、第３の突出部４５２、第４の突出部４５３、第５の突出部４５４、及び第６の突出部４５５のセットの形態）によって提供される総表面積と、第１の台座面３０の表面積との比は０．０８：１〜０．０６：１の範囲にある。
【００５０】
第４の突出部４５３は、第４の穴／開口部３６３の周囲に配置される。第４の突出部４５３の面３０からの垂直距離は、第１の突出部４５０、第２の突出部４５１、及び第３の突出部４５２の面３０からの垂直距離と等しい。第１の突出部４５０と第４の突出部４５３に関して第３の刃を載置するために利用可能な水平台座表面積は、好ましくは等しい。突出部４５４及び４５５の水平台座表面積は好ましくは等しい。
【００５１】
一実施形態では、第２の刃１１２用の第２の台座は、第１の突出部３５０、第２の突出部３５１、第３の突出部３５２、第４の突出部３５３、第５の突出部３５４、及び第６の突出部３５５のセットの形態をとり、プラットフォーム３００に取り付けられる。
【００５２】
肌に置かれて肌を支持するガード５０は、図３に示されるように長手方向に配設される。部分５０は台座１１４に取り付けられ、粗面を提供して肌を保持し伸長させて、シェービングのために肌表面を平坦にする。また、これにより第１の刃の露出が制御される。
【００５３】
空洞２０１及び２０２の機能は、多機能キャップの位置決め突出部８３及び８４を位置決めすることである。位置決め突出部８３及び８４と空洞２０１及び２０２は支圧嵌合する。
【００５４】
図３Ａは、矩形プラットフォーム３００の下に設けられた締め具５００及び５０１を示す多機能台座１１４の側面図である。これらの突出部は、柄の取付構造を受け入れる。
【００５５】
図４に示されるように、第１の刃１１１は、第２のセットの台座（突出部３５０、３５１、３５２、３５３、３５４、及び３５５）と、第３のセットの台座（突出部４５０、４５１、４５２、４５３、４５４、及び４５５）と、穴３６０、３６１、３６２、３６３とに一致し、上記の台座を受け入れる開口部を提供する第１のセットの孔１１１ａ、１１１ｂ、１１１ｃ、１１１ｄ、１１１ｋ、及び１１１ｎを含む。矩形開口部３１、３３、３４、及び３６と一致するように長手方向に設けられ、くずを流すことができる開口部１１１ｅ、１１１ｆ、１１１ｇ、１１１ｈ、１１１ｉ、及び１１１ｊが更に設けられる。図４に示されるように、刃の幅方向に略矩形スロット１１１ｌ、１１１ｍが設けられる。これらのスロットの機能は、多機能キャップの位置決め突出部８３及び８４に刃を位置決めすることである。刃１１１は長手方向切断縁部１１１ｐを備える。
【００５６】
図５は、第２の刃１１２を示す。第２の刃１１２は、第２のセットの台座（突出部３５０、３５１、３５２、３５３、３５４、及び３５５）と、第３のセットの台座（突出部４５０、４５１、４５２、４５３、４５４、及び４５５）と、穴３６０、３６１、３６２、３６３とに一致し、上記の台座を受け入れる開口部を提供する第１のセットの孔１１２ａ、１１２ｂ、１１２ｃ、１１２ｄ、１１２ｎ、及び１１２ｋを備える。矩形空洞／開口部３１、３３、３４、及び３６と一致するように長手方向に設けられた開口部１１２ｅ、１１２ｆ、１１２ｇ、１１２ｈ、１１２ｉ、及び１１２ｊが更に設けられる。図５に示されるように、刃の幅方向に略矩形スロット１１２ｌ、１１２ｍが設けられる。これらのスロットの機能は、多機能キャップの位置決め突出部８３及び８４に刃を位置決めすることである。これらのスロット（１１２ｌ、１１２ｍ）は好ましくは１１１ｌ、及び１１１ｍと同じ寸法である。刃１１２は、長手方向切断縁部１１２ｐを備える。
【００５７】
図６は、上記第３の刃１１３を示す。第３の刃１１３は、第２のセットの台座（突出部３５０、３５１、３５２、３５３、３５４、及び３５５）と、第３のセットの台座（突出部４５０、４５１、４５２、４５３、４５４、及び４５５）とに一致し、上記台座を受け入れる開口部を提供する第１のセットの孔１１３ａ、１１３ｂ、１１３ｃ、及び１１３ｄを備える。図６に示すように、刃の幅方向に略矩形スロット１１３ｅ及び１１３ｆが設けられる。これらのスロットの機能は、多機能キャップの位置決め突出部８３及び８４に刃を位置決めすることである。これらのスロット（１１３ｅ、１１３ｇ）は好ましくは１１２１及び１１２ｍと同じ寸法である。刃１１３は、長手方向切断縁部１１３ｐを備える。
【００５８】
図７は多機能キャップ１１０を示す。多機能キャップは、第１のピン７０、第２のピン７１、第３のピン７２、及び第４のピン７３のセットのスタッキングピンを含む。多機能キャップは、スタッキングピンが配置される略平坦面７４を有する。突出部７５、７６、７７、及び７８は、スタッキングピン７０、７１、７２、及び７３の周囲に設けられて、刃を支持する。
【００５９】
突出部７５及び７８は、同じ幾何学的形状を有し、好ましくは０．５〜２ｍｍの、面７４からの等しい垂直距離を有する。突出部７６及び７７は、同じ幾何学的形状を有し、７５及び７８と等しい垂直距離を有する。段部７９、８０、８１、及び８２は、突出部７６、７７、７８、及び７９の一体部分である。段部７９、８０、８１、及び８２の垂直距離は０．３〜１ｍｍの範囲内である。段部７９及び８２の幾何学的形状は好ましくは同じである。８０及び８１の幾何学的形状は好ましくは同じである。
【００６０】
第３の刃１１３は、面７４に配置される。第２の刃１１２は、段部７９、８０、８１、及び８２に配置される。第１の刃１１１は、突出部７５、７６、７７、及び７８の面に配置される。
【００６１】
表面積７４と段部７９、８０、８１、８２によって提供される表面積との比は約１０：１である。表面積７４と突出部７５、７６、７７、７８の表面積との比は約１５：１である。
【００６２】
多機能キャップは位置決め突出部８３及び８４を含む。刃の矩形スロット１１３ｅ、１１３ｇ、１１２ｌ、１１２ｍ、１１１ｌ、及び１１１ｍは位置決め突出部８３及び８４に配置される。これらの突出部は、台座１１４の空洞２０１及び２０２に位置決めされる。この構成により、刃を相互に対して配置することができる。
【００６３】
図８は、くず流路を示すアセンブリの断面図である。図２ｂは、図８の断面図で使用されるカートリッジの断面線位置を示す。刃１１１用のくず流路は流路線「ａ」で示す。刃１１２用のくず流路は第２の刃１１２と第１の刃１１１との間の線「ｂ」で示す。図に示されるように、「ｅ」は第２の刃と第１の刃との間の追加のくず流路である。「ｃ」で示す流路線は、第３の刃１１３と第２の刃１１２との間のくず流路であり、第１の刃と台座を通過する。「ｄ」で示す経路は、第３の刃１１３と第２の刃１１２との間の追加のくず流路である。
【００６４】
更に別の変形では、シェービング補助手段又は潤滑アプリケータ１１５が、刃カートリッジに取り付けられる又は含まれる。典型的には、図２に示されるように、多機能キャップ１１０は、多機能キャップ１１０の上面に取り付けることができる潤滑ストリップ１１５状でポリスチレン−ポリエチレンオキシド混合物を含む。シェービング中、ポリエチレンオキシドがスチレンマトリックスから除かれる。多機能キャップ部材１１０は接着された成形潤滑ストリップ１１５を有してもよいし、又は潤滑ストリップ１１５は第２のショットにおいて多機能キャップ部材１１０上に成形されてもよい。
【００６５】
更に別の実施形態では、第１の突出部３５０、第２の突出部３５１、第３の突出部３５２、第４の突出部３５３、第５の突出部３５４、及び第６の突出部３５５のセットの形態をとる、第２の刃１１２用の第２の台座は、高さ調節及び浮動構造を可能にする圧縮性材料で作製される。本実施形態の別の変形では、上記突出部は高さ調節機能を有する。
【００６６】
更に別の実施形態では、第１の突出部４５０、第２の突出部４５１、第３の突出部４５２、第４の突出部４５３、第５の突出部４５４、及び第６の突出部４５５のセットの形態をとる、第３の刃１１３用の第３の台座は、高さ調節及び浮動構造を可能にする圧縮性材料で作製される。本実施形態の別の変形では、上記突出部は高さ調節機能を有する。
【００６７】
本発明の一実施形態では、上記多機能台座１１４は柄と一体化される。
【００６８】
本発明の別の実施形態では、上記多機能台座１１４は柄に取り付け可能である。
【００６９】
更に別の変形では、刃カートリッジは、多機能台座１１４の下面に形成された適切な構造５００及び５０１によって柄に永続的に又は脱着可能に接続されてもよい。
【００７０】
別の実施形態では、３つ以上の刃が配設され、多機能台座１１４に設けられた各自の台座を有する。
【００７１】
多機能台座と、各台座用の突出部を有する多機能キャップとの幾何学的構造が、スペーサの使用を不要にすることは明らかである。
【図１】
2020518309.tif 000003
【図２ａ】
2020518309.tif 000004
【図２ｂ】
2020518309.tif 000005
【図３】
2020518309.tif 000006
【図３ａ】
2020518309.tif 000007
【図４】
2020518309.tif 000008
【図５】
2020518309.tif 000009
【図６】
2020518309.tif 000010
【図７】
2020518309.tif 000011
【図８】
2020518309.tif 000012
【国際調査報告】
2020518309.tif 000013
2020518309.tif 000014